(57)【要約】【課題】  従来、人の速走力は、生まれつきの素質が大きく影響し、その能力の増進には、走るフォームの改善と繰り返しのトレーニングが必要とされ、それに関した発明もあるが、構造も複雑な上、そのトレーニングには数か月を要していた。ところが、全力疾走のピッチに相当する速さの足の屈伸を、他力誘導の形で行なっていけば、意外にも短期間に速走力が増進出来ることを本発明者は発見し、速走力増進トレーニング機の開発を行なった。【解決手段】  ペダルの他力駆動回転を利用したペダル運動機において、ペダル回転によって行なう足の屈伸誘導速度を、全力疾走時のピッチに相当する足の屈伸動作速度程度、もしくはそれ以上に速い他力誘導可能な足の屈伸上限速度範囲内において、ペダルを高速回転させるように構成した速走力を増進させるためのトレーニング機。【選択図】図２
2006223647.tif 000002
【特許請求の範囲】
【請求項１】
ペダルの他力駆動回転を利用したペダル運動機において、ペダル回転によって行なう足の屈伸誘導速度を、全力疾走時のピッチに相当する足の屈伸動作速度から他力誘導可能な足の屈伸上限速度範囲内において、ペダルを高速回転させることを特徴とする速走力を増進させるためのトレーニング機。
【請求項２】
ペダル運動機をランニングマシンとし、走行ベルトの走行速度を全力疾走の速度以上の速さに高速走行させることを特徴とする請求項１の速走力を増進させるためのトレーニング機。
【請求項３】
ペダルの他力駆動回転するペダル運動機、又は、ランニングマシンにおいて、足の屈伸誘導速度を、全力疾走時のピッチに相当する足の屈伸動作速度程度から他力誘導可能な足の屈伸上限速度範囲内において、高速屈伸させることを特徴とする速走力を増進させるためのトレーニング方法。
【発明の詳細な説明】
【技術分野】
【０００１】
本発明は、幼児から大人に至る各年令層の人に対して、速く走る能力（以下、速走力という）を増進させるためのトレーニング機に関する。
【背景技術】
【０００２】
従来、速走力を増進させる発明については、一流スプリンターの動作分析等を参考にして、その理想的な走フォームや腸腰筋のトレーニングを機械的に誘導する試みがある(例えば、特許文献１・特許文献２）。
【特許文献１】特許第３４６５０４４号
【特許文献２】特開２００４−１４７９０８号公報
【発明の開示】
【発明が解決しようとする課題】
【０００３】
今まで、人の速走力には生まれつきの素質が大きく影響し、その能力を最大限に発揮させるためには、繰り返し走ることと、理想的な走るフォームに近づくことが大切であると考えられていた。前記の特許文献１は、そのために行なわれた初めての発明であって、ペダルを踏むことによって、理想的な走フォームに近い下半身の動きに誘導し、その時の腰回りの筋肉の動きを脳に記憶させるとともに、筋力も鍛えていくもので、現在、ハイテクスポーツ塾等で利用され、大きな効果を上げている。
【０００４】
しかし、理想的な走フォームを機械的に再現させながら、ペダル回転の踏み込みには負荷をかけることで筋力トレーニングも行なう構成であるため、装置は複雑な機構な上に、動作はゆっくりと負荷に逆らう形であるため、利用者の疲労度は高く、その効果を得るのには通常約６か月を要していた。
【０００５】
また、最近注目されている速走力増進の方法としては、人間の体の動きをコンピューターで分析する手法（バイオメカニクス）によって開発された、股関節を動かす腸腰筋のトレーニングがある。この指導法によって、オリンピック等において日本選手が大活躍するようになったとのことである。しかし、バイオメカニクスに基づく指導によって効果が現れるのは、対象者の６割程度で、それも少なくとも２か月以上のトレーニングを要すると言われており、これに関するトレーニング機器の開発としては、前記の特許文献２がある。
【０００６】
これらの現在行なわれているトレーニングの手法は、いずれも脳からの指令に基づいて体を動かしていくという自発的に行なう自力の運動が原点となっている。しかし、この考え方を逆転させて、外部からの機械的誘導によって、自発的な自力の運動では実現出来ないスピードで体を動かし、その筋肉の動きによって生じる電気的な刺激を脳に送り続けたら、もっと速く走れるようになるのではなかろうか。と言っても、このような速走力増進トレーニングの発想は今まで全くなく、また、それに関する研究も全く無かった。しかし、イメージトレーニングに関する研究では、脳は、イメージとして届けられる架空の経験や刺激であっても、現実に経験したものと同じように認識していくということが言われている。このことから推測すると、全力疾走という動作よりも遥かに速い動きを、架空の経験ではあっても経験させれば、ひょっとしたら、潜在している本来の能力が、「火事場の馬鹿力」のように発現するのではないかと考えてみた。
【０００７】
そこで、取りあえず本発明者が開発していたモーター駆動のペダル運動機を改良して、ペダル回転速度の上限を１３６回／分としてテストを行なったところ、予想以上の良い効果を確認したので、速走力増進トレーニング機の開発を行なうこととした。
【課題を解決するための手段】
【０００８】
ペダルの他力駆動回転を利用したペダル運動機において、ペダル回転によって行なう足の屈伸誘導速度を、全力疾走時のピッチに相当する足の屈伸動作速度程度から、それ以上に速い他力誘導可能な足の屈伸上限速度範囲内において、ペダルを高速回転させる。尚、他力誘導上限速度範囲とは、外部からの駆動によるペダル回転によって行なう足の屈伸において、他力誘導が出来る速度の上限を示すもので、約１７０〜１８０回／分程度である。
【０００９】
全力疾走時のピッチ数は大体毎秒４程度であるが、子供から成人による年齢差や男女差、また、素質や体力差によって若干の違いがある（カール・ルイスの計測では、１００ｍ走の一部でピッチが５に達することがあるという）。この全力疾走時のピッチ４の足の動きは、片足については１秒間に２回足を屈伸したことになるから、両足をペダルに乗せて１秒間に２回転した場合の足の屈伸に相当する。従って、全力疾走時のピッチ４に相当する足の屈伸を行なうペダル回転速度は１２０回／分とみることが出来る。また、無駆動の状態で、自力でペダルを全力回転させた上限速度を調べてみると、ほぼ１２０回／分前後であり、全力疾走時のピッチとほぼ一致している。このことから、人が自発的に行なえる最速の足の屈伸速度に相当するペダル回転速度は、事前に自力によるペダル最速回転速度を計測して登録しておき、その数値を一応の全力疾走時のピッチに相当するペダル回転速度としてトレーニングを行なえば、それぞれの個人差に対応することが出来る。
【００１０】
一方、他動誘導最速上限速度にも、年令・性別・運動経歴などによる差があり各人各様と考えるべきで、更に、同じ利用者においても、トレーニングに習熟するに従って、より速い他動誘導最速上限速度へと向上する。
【００１１】
以上のことから、速走力増進トレーニングのメインは、一般的な全力疾走時のピッチ数に相当するペダル回転速度（上記の計測を行なわないときは、一応１２０回／分程度とする）から、更に速い他力誘導上限速度以内の速さによって足の他力誘導屈伸を行なうものとする。しかし、この１２０回／分以上というペダル回転速度はかなり速く、最初は足の屈伸がうまくマッチしない人もある。その場合は、８０〜１００回／分程度のペダル回転速度によって足の屈伸誘導の習熟を図り、順次１２０回／分程度のペダル回転速度が利用出来るようにする。尚、この１００回／分前後のペダル回転速度による利用でも、ある程度の速走力増進の効果が認められることから、本発明においては、８０〜１００回／分程度のペダル回転速度範囲を、上記の速走力増進トレーニングの前後に行なう準備運動ならびに整理運動に利用と位置づける。
【００１２】
尚、本発明による速走力増進トレーニング機は、自発的に行なうペダル運動をモーター駆動の力を借りてアシストする（従来からの電動式ペダル運動機の方式）ものとは違い、自発的には行なうことが出来ない足の屈伸のスピードを、モーター駆動のペダル運動機等によって半ば強制的に他力誘導していくものである。この両者は、外見的には同じように見えながら基本的な違いを持っている。即ち、自力でも屈伸可能な速度の範囲内では、自力の屈伸運動とモーター駆動とは協調関係にあるから僅かなアシストでも十分成立する。これに対して、自力による足の屈伸可能な速度の範囲を超えると、足の屈伸の動きがモーター駆動の動きを抑制する関係となるため、その抑制力を超えるトルクが必要条件となる。この抑制力は、速走力増進トレーニングのメインとなる他力誘導による足の屈伸速度（例えば、１２０回／分〜１７０回／分）の範囲内においても、上限に近づくほど大きくなるとともに、年齢・体重・使用の習熟度等による個人差も大きく関係してくる。従って、一般的な電動式ペダル運動機の場合、モーターの最大出力は、１０Ｗから２０Ｗもあれば十分であるのに対して、速走力増進トレーニング機の場合は、少なくとも、４０Ｗから６０Ｗのモーターでなければ、その機能を果たすことは出来ない。
【発明の効果】
【００１３】
以上述べたように、本発明は、モーター等によって駆動されるペダル運動機において、ペダル回転速度を、全力疾走時のピッチに相当するペダル回転速度から、他動誘導上限速度の範囲内において提供し、足の急速屈伸を機械的な他動誘導の形で行なうようにした速走力増進トレーニング機に関するものである。
【００１４】
本発明によって、これらの全力疾走時の速さに相当する足の屈伸速度、又はそれ以上に速い足の屈伸速度の動きに他力誘導すると、腰周りや膝・足首周りなどに関する全ての筋肉の動きは、逐一脳に送り届けられる。前述のイメージトレーニングに関する研究からみても、脳に届けられてくるこれらの刺激は、脳にとっては、現実に経験したものと同じように認識されるから、脳は、全力疾走というスピード、あるいはそれよりも遥かに速い動きを、現実に経験していると推察出来る。
【００１５】
さて、無酸素運動で全力疾走が可能な距離は数１０ｍということであるからみて、自力を使って走る全力疾走時のピッチ４を維持出来るのは、一般には１００ｍ走までが限界である。そして、一日に行える全力疾走のトレーニングは、肉体的な疲労蓄積を考慮して１０回程度までは可能としても、その延べ時間は、せいぜい２〜３分間にしかならない。従って、当事者としては、走力を速めるためのトレーニングを全力を挙げて繰り返していると思っていても、脳にとっては、ほんの僅かな時間しかしていないことになる。
【００１６】
本発明は、この点を解決したもので、前述のように、機械的な他力誘導の形で、脳にとってのバーチャル経験として、全力疾走を超えた、現実には経験できない速いスピードを、肉体的な疲労を感じることなく長時間にわたって経験させることを可能となる。即ち、本発明による速走力を増進させるトレーニング機の利用を、１２０回／分のスピードで一日に３０分間使用したとすれば、１００ｍ走の測定タイムを１２秒として単純計算すると、脳は、１００ｍ全力疾走を１５０回経験したことになり、しかも、肉体的な疲労も殆ど残らない。しかも、例えばカール・ルイスでも実現出来ていないピッチ５による１００ｍ全力疾走のスピードに相当する足の屈伸を行なうことも可能である。仮に、１００ｍ全力疾走が、ピッチ５によってスタートからゴールまで走れたとするタイムが９秒と仮定すると、脳は、それに相当する走りを３０分間に２００回バーチャル的には経験したことになる。これら脳におけるバーチャル的な経験が、脳の機能にどのように関わり、どのように速走力の増進に寄与しているのかということについては、まだ学問的な研究対象とはなっていないため、今後に期待しなければならないが、実際に行った基礎的な調査の段階では明らかな効果が確認されているので、以下これについて述べる。
【００１７】
先ず、福岡県筑紫野市の高校１年生Ｔ少年の例について述べる。Ｔ少年は、日頃あまり足は速くなかった子であるが、ペダル回転速度１１７回／分のペダル回転速度にて利用したところ、使った次の日には速く走れるような気がするようになり、サッカーの練習や野球の走塁を見ていた友達も、「大変足が速くなった」と言うようになった。そして、体力測定の際には、クラスで一番速い子と走っても、前半はずっとリードするほどの速さであったとのことである。
【００１８】
この事例を受けて、鳥取県西伯郡淀江町の淀江中学校２年生のＹ少女を被験者としてテストを行なった。このＹ少女は、中学校駅伝競走（女子の部）の選手で、日頃のタイムは２ｋｍ区間で平均８分程度である。それが、平成１６年１０月に行なわれた駅伝競走西部地区大会（鳥取県大会の予選会）の前日３日間、ペダル回転速度１１７回／分のスピードで約２，０００回転ずつ利用したところ、２ｋｍ区間走った成績は７分２８秒という区間賞に近い好成績になった。２ｋｍの区間で約３０秒以上もタイムを縮めたのである。これは、１００ｍ当たり１．５秒に相当する短縮であり、駅伝競走の平均タイムから計算すると１００ｍ当たり６．７ｍもの差が出来るくらいの違いである。常日頃練習を重ねている選手の記録としては、通常あり得ない好成績であって、本発明による速走力増進トレーニング機による効果と考えられる。
【００１９】
これらの事例を更に客観的に確かめるために、平成１６年１１月、鳥取県米子市の福米西小学校の協力を得て、本発明の効果を調べた。まだ予備調査の段階であるが、５年生男子を対象として、ペダル回転速度１３６回／分のスピードを利用して、２００ｍ走のタイムを測定による本発明の効果の確認を２３日間にわたって行なった。被験者の男子は、クラスの希望者の中から、比較的走りの速い子Ａと遅い子Ｂの１名ずつを選んで行なった。まず最初に、両者の走る速さの事前測定を行ったところ、Ａは３７．３６秒、Ｂは４２．４８秒であった。この測定後に、速走力増進トレーニング機を使用して前述のスピードで１，０００回、次の日は１，５００回の屈伸を行なったうえ、第２回目の測定を行なった。その測定結果は、Ａは３６．００秒、Ｂは４０．６１秒であった。次いで、測定開始４日目の測定では、Ａは３６．３０秒、Ｂは３９．２３秒となり、測定開始２２日目には、Ａは体調不良で３７．４０秒と記録は下がったものの、Ｂは３８．４３秒と更に向上した。尚、これらの調査は小学校内において２名の教諭の協力によって行ったもので、学校の業務の都合もあり、両児童が、本発明による速走力増進トレーニング機を使用した回数は、２３日間のうち１３回であった。
【００２０】
僅か２人の事例から即断は出来ないが、その前の事例も勘案しながら検討すると、２００ｍ走における測定タイムの短縮は、本発明による速走力増進トレーニング機の効果と考えられる。詳細な研究は、今後に待たなければならないが、使用した次の日に、両者とも１．３７秒、１．８７秒と測定記録を縮めており、これは距離に換算すると、７．２８ｍ、８．８ｍも早くゴールしたことになる。特に、走りの遅かったＢは、その後も第３回目には３．２５秒、第４回目には４．０５秒とタイムを縮めており、測定開始から２３日目には、距離にして１９．０７ｍも速くなっている。これは、１００ｍ走で９ｍ以上の差に相当するから、１００ｍ競争でピリだった子が１か月足らずのトレーニングでトップクラスに踊り出た程の効果である。これらの効果は、筋力の増強とか走りのフォームの改善とは考えられず、脳の機能がより優れた方向に開発されたものであると考えられる。
【００２１】
このことを象徴的に示す効果として特に注目すべきことは、使用した直ぐ次の日には、１００ｍ当たり３〜４ｍ以上も速く走れるようになっているというように、本発明者自身の期待を遥かに超えた即効的な顕著な効果である。そのうえ、１日に１０〜１５分間程度のトレーニングを、２日に１回程度の行なうことによって、わずか２３日目には、１００ｍ当たり９ｍ以上も速く走れるようになっているということからみて、本発明による即効的な効果は、確実に累積されていることが分かる。
【００２２】
現在使用されているモーター駆動のペダル運動器は、筋肉トレーニングや血流促進を目的に、大体６０回／分程度のペダル回転速度で利用されているのが普通で、このペダル回転の速さは、全力疾走のピッチ４と比較すると約半分のスローピッチであり、従って、この利用によって、走る速さが速くなったという効果の報告は皆無である。これに対して、本発明は、全力疾走のピッチに相当するペダル回転速度から、更に、他力誘導上限速度までの範囲内、即ち、自力の運動では実現出来ない速い足の屈伸速度を、機械的な他力誘導によって実現し、速走力の機能を増進することを目的としている。そして、この発明を利用することによって起こる効果は、上述のように即効的に顕著に現れ、その効果は累積されていく。
【００２３】
しかも、本発明によるトレーニング自体が、単純な機械的な他力誘導の形で行なわれるため、幼児でも、小学生でも容易にトレーニングすることが可能で、その速走力増進の効果を期待することが出来る。しかも、特別な研修を経た指導者を必要としないという利点もある。従って、遊びや運動の機会が少なく、走る能力に劣等感を抱いている子供達も、本発明によって速走力を身に付けることが可能となる。また、本発明の効果を見るためのテストの結果によっても、短距離走・長距離走に関係なく速走力の向上が認められている。その上、球技等における敏捷性も向上していることが観察されていることから、スポーツ全体の基礎的なトレーニングとしての効果も期待されるものである。
【００２４】
又、競走馬の走る速さも、人の場合と同様に、関連するそれぞれの筋肉とその筋肉の動きを指令する脳の機能によるものであるから、その速走力増進に向けてのトレーニングにも、大きな期待を寄せることが出来る。
【発明を実施するための最良の形態】
【００２５】
本発明を実施するための最良の形態について述べる。
【実施例１】
【００２６】
図１に示す本発明の実施例１の外観は、従来からあるモーター駆動のペダル運動機に準じて、本体の左右に付設したペダル１を内部に設けたモーターによって回転駆動させる。本体のカバー２には、電源スイッチ３、電源コード４、ケーブル接続のリモコン５、タイマー６などを付設している。
【００２７】
ペダル１には、ペダル１の高速回転の際にも足先がペダル１から外れないよう配慮したサポーター７を用意する。サポーター７として、図面では、足の大きさに対応して長さの伸縮が可能なように面ファスナーを利用しているが、使用者の足のサイズにあったシューズタイプのサポーターであれば、より理想的である。
【００２８】
ペダル１のクランク８は、内部に設けたバネによって数ｃｍ程度の伸縮自在が可能の構成（図示していない）としてもよい。これは、クランクの長さを一定とする従来のペダル回転の軌跡は完全な円となるが、その円の軌跡に誘導される足の動きは、必ずしも円形の動きにマッチしているわけではなく、足先を踏み出した状態の時にはペダルを押し出す方向により力が働いている。このペダル回転の動きと足先の動きとのズレは、ペダル回転の速度が速くなるほど表面化し、習熟しないと、ペダル回転速度１００回／分程度以上のペダル回転にうまくマッチ出来ず、使用中に機器本体が不安定化することもある。クランクを伸縮自在の機構にすれば、このペダル回転の動きと足先の動きとのズレを吸収してうまく対処することが出来る。
【００２９】
ペダル回転速度は、前述のように、全力疾走時のピッチに相当するペダル回転速度、又はそれに近いペダル回転速度から、他力誘導最速ペダル回転上限速度以内のペダル回転速度範囲内を主たる速走力増進トレーニング範囲として、それ以下のペダル回転速度も含めて、リモコン５に設けた速度つまみ９によって任意にスピードコントロール出来るように構成する。子供向けの実施例では、最大出力４０Ｗのスピードコントロール可能なインダクションモーター（可変速度範囲９０〜１，７００回／分）に減速比１／１２．５のギヤヘッドを組み合わせ、ペダル回転速度７〜１３６回／分とする。又、中学生以上の一般向けの実施例としては、更に大きなトルクが必要とされるため、最大出力６０Ｗのスピードコントロール可能なインダクションモーター（可変速度範囲７０〜１，７００回／分）に減速比１／９のギヤヘッドを組み合わせて、ペダル回転速度を８〜１７０回／分までの使用を可能にする。以下、一般向けの実施例について述べると、一応１２０〜１７０回／分を、速走力増進トレーニングの中心におき、それ以下のペダル回転速度は、準備運動・整理運動的に利用するものとする。
【００３０】
本体のカバー２には、使用者に合わせてそれぞれの他力誘導最速ペダル回転上限速度を指示するための回転速度上限ボタン１０を設け、内部に設けた抵抗値によって、１２０回，１３０回，１４０回，１５０回，１６０回，１７０回／分の６段階に分けて、他力誘導最速ペダル回転上限速度を選択するが、ロータリースイッチ等を用いて選択してもよい。尚、カバー２に設けた回転速度表示ランプ１１は、ペダル回転速度８０〜１７０回／分に対応して、１０段階のＬＥＤ点灯表示するもので、利用時のペダル回転速度の凡そを示すものである。
【００３１】
リモコン５には、速度つまみ９のほかに、カウンター１２と緊急停止ボタン１３を付設し、ペダル回転数の記録表示と緊急時の停止指示が出来るようにする。
【００３２】
実施例１は、別に用意した椅子に腰掛けて利用するもので、以下、その速走力増進トレーニングを行なう基本的な例を述べる。先ず、電源スイッチ３を入力した後、リモコン５に設けた速度つまみ９を回して、徐々に回転速度を上げて１００〜１２０回／分程度のスピードで２〜３分間準備運動を行ない、次に、１２０回／分以上の他動誘導上限速度範囲内において速走力増進トレーニングを１５〜３０分間程度行ない、最後に、徐々にゆっくりとした速度に戻した整理運動を１〜２分間行なう。尚、前述のように、全力疾走時のピッチについては若干の個人差があり、また、年令や速走力増進トレーニングの習熟の具合、体調等の配慮も必要であるから、それに対応して、１００〜１１０回／分程度のペダル回転速度を速走力増進トレーニングとして利用するとか、トレーニング時間も、もっと短く１０〜１５分間程度としても有効である。そして、そのトレーニングは、上記のペダル回転速度範囲内で、速くしたり遅くしたりのインターバルトレーニングを行なうと、疲労感も少なく快適である。
【００３３】
ペダル回転における他力誘導上限速度は、利用者の習熟に合わせて決めるものであって、安全に使用出来る上限を示すものである。従って、回転速度上限ボタン１０によって一応のペダル回転の上限速度を指定し、その範囲内のペダル回転速度でスムーズに利用できるようになったら、もう一段階上の回転速度上限ボタン１０を押して、より速い他力誘導上限速度に順次拡大して利用することが好ましい。
【実施例２】
【００３４】
次に述べる実施例２は、本発明を椅子と一体的に構成したものである。図２によって説明すると、本体基部の台座１４に、ハンドル１５およびサドル１６を支持パイプ１７によって伸縮固定自在に固設したうえ、最大出力６０Ｗのスピードコントロール可能なインダクションモーター（回転速度７０〜１，７００回／分）と減速比１／５のギヤヘッドを組み合わせたうえ、減速比１／２のスパイラルギヤによってシャフト１８を駆動させ、ペダル１の回転速度範囲を７０〜１７０回／分としている。尚、シャフト１８は、サドル１６の支持パイプ１７の所定位置に取り付けたベアリングによって滑動自在に取り付ける。インダクションモーターの回転速度上限の指定は、基本的には、ハンドル１５の中央に取り付けた表示パネル１９に設けた回転速度上限ボタン１０によって行ない、他動誘導上限速度範囲を、１８０回／分，１６０回／分，１４０回／分，１２０回／分，１００回／分の５種類とする。そのうえで、右側のハンドル１５に設けたグリップ２０を回すことによって電気抵抗値を変え、他動誘導上限速度範囲以下において、約４０回／分程度の範囲内でスピードコントロールを可能とする。これによって、例えば、他動誘導上限速度範囲１７０回／分を指定した場合は、グリップ２０によって、ペダル回転速度は１３０〜１７０回／分の範囲でスピードのコントロールが可能となり、１２０回／分に指定した場合は、８０〜１２０回／分の間でスピードコントロールが可能となる。但し、他動誘導上限速度範囲１００回／分を指定した場合は、ペダル回転速度下限の７０回／分から１００回／分の範囲内のスピードコントロールとなる。尚、表示パネル盤１９の中央には、ペダル回転数などを表示するデーター表示窓２２を設ける。
【００３５】
又、表示パネル１９に設けたインターバルおまかせボタン２１は、グリップ２０による手動のスピードコントロールとは別に、他動誘導上限速度範囲以下における所定の速度範囲内において、予め設定しておいたプログラムの指示によってペダル回転速度を自動的に変化させることを可能とするものである。例えば、他動誘導上限速度範囲を１４０回／分に設定した場合、インターバルおまかせボタン２１の入力によって、１５分間構成のプログラムが次のように進められる。先ず最初に、７０〜１００回／分のペダル回転速度による準備運動が徐々にスピードを上げる形で２分間行なった後、メインとなる速走力増進メイトレーニングを、１００〜１４０回／分のペダル回転速度範囲内において、自動的に速くしたり遅くしたりするインターバルのトレーニングの形で１２分間行なう。そして最後に、整理運動として７０〜１００回／分のペダル回転速度による整理運動を、徐々にスピードを下げる形で１分間自動的に提供される。
【００３６】
以上述べた実施例１および実施例２は、他力誘導上限速度範囲を、例えば１３６回／分のみに限定して、７０〜１３６回／分の範囲内でペダル回転の可変を行ない、準備運動・整理運動も含めた速走力増進トレーニングを行なうことも出来る。あるいは、更に単純化して、ペダル回転速度を１３０回／分のみに限定した速度固定タイプの速走力増進トレーニング機とすることも出来る。
【実施例３】
【００３７】
実施例３は、モーターとかエンジンのような原動機を利用しないで、２人のトレーニング者をペアとして行なうものである。図３によって説明すると、その構成は、基本的には、二人乗り自転車から車輪関連の部品を外し、床面に安定的に直立出来るようにした形状であって、前後のペダルを、大小のギヤとチェーンによって連動させて回転させる機構にしている。即ち、前後一対のハンドル１５ならびにサドル１６を伸縮自在に固定可能な支持パイプ１７を台座１４に固設したうえ、補強パイプ２３によって補強して本体骨格とする。次に、前後に位置する両サドル１６のそれぞれの支持パイプ１７の中央やや下方位置に、それぞれのペダル１を回転自在に取り付ける。前部のペダル１のクランク軸に設けた小ギヤ２４と後部のペダル１に設けた大ギヤ２５は、チェーン２６によって連結する。これらの小ギヤ２４と大ギヤ２５の歯数比を、例えば１：２にすれば、前後のペダル回転速度は、２：１となる。従って、後方のペダル１を回転させると、前方のペダル１は、小ギヤ２４と大ギヤ２５の歯数比に反比例してより多く回転する。尚、小ギア２４・大ギア２５ならびにチェーン２６に代えて、大小の歯付きプーリーと歯付きベルトを利用しても同様に構成できる。
【００３８】
本実施例を使用する場合は、前方のサドル１６には速走力増進トレーニングを受ける人、後方のサドル１６には前方のペダル１を駆動する人が腰掛ける形として行ない、後方の人のエネルギーによって、前方の人が足を動かしてもらうことになる。これは、後方のサドル１に腰掛けてペダル１を回転させる人は、負荷に逆らって運動する自力運動（自転車漕ぎ運動）の形となり、前方のサドル１６に腰掛けてペダル１に足を乗せている人は、後方の人からの力によって動かしてもらう他力誘導運動の形となることを意味している。
【００３９】
速走力増進トレーニングのメインは、一応、全力疾走のピッチ４／秒に相当する１２０回／分以上とすると、上記のギヤ比からみて、後方の自力運動としてペダルを漕ぐ側は、６０回／分程度のペダル回転となり、楽に漕ぐことが可能である。一方、前方の他力誘導によって足の屈伸を行なう側は、常にその２倍のペダル回転速度によつて速走力増進のトレーニングを受けることが出来る。しかも、そのギヤ２５と小ギヤ２４のギヤ比２：１から生じる力関係は１：２と反比例関係になることから、後方の人が誘導できる前方の人のペダル回転速度は、前方の人の他力誘導上限速度近くでバランスよく調整され、それ以上にはならない。従って、安全に利用が可能である。
【００４０】
以上のことから、前方と後方のトレーニング者はペアとなって、数分間毎にサドル１６位置を交代して行なえば、自力運動と他力誘導運動による速走力増進運動が交互に実施できる。尚、複数のギヤを組み合わせたギヤチェンジ機構を利用すれば、ハンドル１４位置の手元操作で、前方と後方の歯数比を逆転可能として、前方と後方のサドル位置を変更しないままで、役割分担を交代させることも出来る。
【実施例４】
【００４１】
実施例４として、人の手を利用して行なう、幼児または子供向けの簡易型の速走力増進トレーニング機について述べる。図４によって説明すると、台座１４の前方に固設したフレーム２７の上部に、歯付き小プーリー２８を取り付けたシャフト１７を回転自在に設け、その両端にペダル１を設ける。次に、台座１４の後方に固設したフレーム２７の上方に、歯付き大プーリー２９を取り付けたシャフト１８を回転自在に設けその一端に操作ハンドル３０を設ける。そして、歯付き小プーリー２８と歯付き大プーリー２９は、歯付きベルト３１によって連結する。歯付き小プーリー２８と歯付き大プーリー３０の歯数比は、１：２もしくは１：３程度として、操作ハンドル３２を１回転させるとペダル１が２回転ないし３回転するようにする。
【００４２】
本実施例を使用する場合は、椅子またはソファ等に腰掛けた姿勢で足先をペダル１に軽く留めてから、援助者が、操作ハンドル３０を持ってゆっくりと回し、様子を見ながら徐々に回転速度を上げていく。上述のように、ペダル１の回転は操作ハンドル３２の回転速度の２倍ないし３倍となるので、特に幼い子供の場合は、様子を観察しながら徐々に習熟させながらスピーとアップしていく。この配慮のもとで、ペダル回転速度１２０回／分、あるいはそれ以上のスピードを目標に操作ハンドル３０を回して利用する。
【実施例５】
【００４３】
実施例５として、サドル付き一体型のタイプで、手動によってペダル回転を行なうタイプについて述べる。図５は、その発明の要部を示した説明図であるが、支持パイプ１７の上方の所定位置に回転自在に設けたシャフト１８の両端に、前後逆方向に取り付けたＬ型の操作ハンドル３０を設ける。一方、サドル１６の支持パイプの所定位置に、シャフト１８を回転自在に取り付け、その両端に、クランク８ならびにペダル１を設ける。操作ハンドル３０を取り付けたシャフト１８と、ペダル１に取り付けたシャフト１８には、それぞれ歯付きプーリー３２を設け、歯付きベルト３１によって連結する。尚、操作ハンドル３０とペダル１の回転比は、走る際の手足の対応や両者の力関係から、１：１が好ましく、操作ハンドル３０とペダル１の対応は、図示しているように、１８０度反転対称の配置とする。
【００４４】
使用する場合は、先ずサドル１６に腰掛けた姿勢で、足先をペダル１に載せる。そして、左右の手によって操作ハンドル３０を握り、操作ハンドル３０を手動によって回転させる。すると、その動きは、双方の歯付きプーリー３３と歯付きベルト３１を介して、同方向のペダル回転の形で伝えられる。操作ハンドル３０の回転とペダル１の回転は、１８０度ずれた形で連動するから、操作ハンドル３０を回す手と、ペダル１によって誘導される足とは、走る時の手と足の動きに近い対応となる。即ち、右手が前に出た時は右足は後ろ向きに動き、右手が後ろ向きに動くときは右足は前に出て行き、これは、左側でも全く同じ関係である。従って、この実施例は、腕の振りによって、走る速さを伸ばしていこうとする従来からのランニングトレーニングの形に準じながら、更に、自力では実現できない足の屈伸速度を腕の力を借りて加速させ、速走力増進トレーニングを実現させるものである。
【実施例６】
【００４５】
既に述べた実施例においては、ペダル１は全て円運動の形で回転させていた。実施例６は、これらのペダル１の動きを、所定のパターに従って誘導可能にしたものである。
【００４６】
速く走れるようになるには、走るフォームの改善が大切であると言われている。図６は、一流スプリンターの走るフォームの動作分析を元にして、腰を基準点として描いた足先の相対的な運動軌跡Ａであって、この運動軌跡Ａは、足先の繰り出し曲線３３から踏み込み曲線３４に変わる転換点Ｂの部分は鋭角となっている。従って、ペダル１の機械的な誘導を考慮して、点線で示す修正を施してほぼ卵型のカーブとし、ペダル１の誘導軌跡３５とする。
【００４７】
ペダル１を先端外側に取り付けた伸縮クランク３６は、伸縮可能なスライド構造とし、先端内側には、案内ロール３７を設ける。シャフト１８を支持するフレーム３８に、若干の間隙を設けて、ほぼ卵形状の誘導内盤３９と、ほぼ卵形状の穴を設けた誘導外盤４０を取り付ける。誘導内盤３９と誘導外盤４０は、伸縮クランク３６に設けた案内ロール３７が楽に通過可能な誘導路４１を構成して同一平面とする。尚、案内ロール３７の取り付け位置がペダル１の取り付け位置と一致している場合は、誘導軌跡３５と誘導路４１の位置は一致する。しかし、図示のように、案内ロール３７の位置がペダル１の取り付け位置より内側にある場合は、その長さ分だけ各半径を短くして描いた形状となる。
【００４８】
歯付きプーリー３２ならびに歯付きベルト３１を介して、モーター（図示しない）の駆動が伝えられると、伸縮クランク３６は、付設の案内ロール３７が誘導路４１に導かれるままに伸縮しながら回転を始める。すると、ペダル１は、設定されている誘導軌跡３５のコースに従って運行する。誘導軌跡３５は、全て曲線によって構成されているので、足の屈伸における他力誘導可能な上限速度範囲内のスピードにも支障なく対応出来る。
【００４９】
以上述べた構成は、前記の第１〜５実施例の全てにおいて実施可能な実施例であって、足の屈伸を機械的な高速誘導による速走力増進トレーニング効果に加えて、機械的な誘導による理想的な走フォームの習得が体得出来ることになる。この両者による相乗効果によって、速走力増進のトレーニングの効果は、より確かなものになることが期待出来る。尚、次に述べる馬などに対する速走力増進トレーニング機の実施例においても同様である。
【実施例７】
【００５０】
以上述べた実施例は、人の速走力を増進させるためのトレーニング機に関するものであるが、人と動物の違いはあっても、走る速さが、各部の筋力とその動きを統括している脳の働きいかんに関わっていることは理の当然である。実施例７は、競争馬の速走力増進トレーニング機に関するものであって、以下、図８および図９によって説明する。
【００５１】
モーター駆動のクランク８の先端外側に、馬脚用ペダル４２を回転自在に取り付ける。一般の人が利用しているペダルは、ペダル軸を中心にして足裏を載せる形で構成されているが、馬脚用ペダル４２の場合は、図８に示すように、ペダル軸４３の末端部に、やや湾曲した吊り下げ具４４と馬蹄置き台４５をＬ型に一体化した馬脚用ペダル４２を、吊り下げ状態で回転自在に設ける。吊り下げ具４４の内面には、馬脚用ペダル４２に馬脚先を止めるための馬脚サポーター４６を取り付ける。馬脚サポーター４６には、面ファスナー４７と留めリング４８を付設した複数の留めベルト４９を設ける。
【００５２】
図９は、その使用状態を示す説明図である。クレーン５０を架設したほぼ直方体形状骨格のクレーン架設枠５１を設け、上架５２に設けたクレーン５０は、ワイヤー５３を介して、体重支持帯５４の両サイドに設けた引き上げベルト５５とつなぐ。クレーン５０は、各引き上げベルト５５毎に各１個ずつ設け、馬の引き上げ姿勢を観察しながらその上下コントロールを行なうのが最適であるが、左右１対に１個のクレーン５０という対応で、前後のバランスを観察しながら引き上げ、体重支持帯５４の上下コントロールを行なってもよい。これによって、例えば、後脚を床面５６に着けた状態で前脚を床面５６から浮かせるとか、逆に、前脚を床面５６に着けた状態で後脚を床面５６から浮かせることが可能となる。
【００５３】
次に、地面から浮いた左右の脚の間に本実施例による速走力増進トレーニング機を運び、クレーン５０を利用して位置合わせを調整した後に、床面５６に固定する。次に、馬脚先を馬脚置き台４５に載せ、付設の馬脚サポーター４６で包んだうえ、留めベルト４９と留めリング４８によって外れないように留める。そして、馬脚用ペダル４２を、手動もしくは電動でゆっくりと回しながら馬の脚の屈伸の状態を観察し、速走力増進トレーニング機と引き上げられた馬の姿勢との好ましい対応が可能となるように、クレーン５０を利用しながら微調整する。
【００５４】
速走力増進トレーニング機と、脚を引き上げられた馬の姿勢との好ましい対応を行なう調整が完了すると、馬脚用ペダル４２の回転速度を順次上げていく。そして、競走馬の全力疾走時のピッチ４．５に相当する回転速度１３５回／分程度か、もしくはそれ以上の、他力誘導可能な速度の範囲内において速走力増進トレーニングを行なう。馬における他力誘導上限速度は、自力で全力疾走するピッチ４．５を基準として、その１０％以上のスピード、２０％以上のスピードを、当面の他力誘導上限速度として想定し、メインとなる速走力増進トレーニングを行なう。
【００５５】
尚、図８に示す馬脚用ペダル４２は、左右のクランク軸が７０〜９０度の角度をもって取り付けられている。これは、馬の疾走時における、左右の脚の動きが、若干ずれながらほぼ並走していく動きにマッチさせるためのものである。左右どちらの脚が遅れて着地するかは、その馬によって異なることから、その習性を観察して左右の馬脚用ペダル４２を取り付けることが好ましい。
【００５６】
又、クレーン５０を操作して馬の前脚と後脚の全てを浮かせ、前後４脚の全てを同時に動かして速走力増進トレーニングを行なうことも出来る。即ち、本実施例による速走力増進トレーニング機を、前脚用と後脚用の２台準備して前後２対の馬脚用ペダル４２として利用する。馬の走行姿勢は、前脚と後脚の運びが、ほぼ１８０度ずれた形で動いているが、事前にその動きのずれを考慮して動かさなくても、本来の走りに近い馬の脚の動きに合わせて、前と後の馬脚用ペダル４２の回転は修正されていく。また、特に図示していないが、本実施例の速走力増進トレーニング機を、床面５６にレールを設けて移動と固定が可能とすれば、より便利である。
【００５７】
又、クレーン５０を操作して馬の前脚と後脚の全てを浮かせ、前後４脚の全てを同時に動かして速走力増進トレーニングを行なうことも出来る。即ち、本実施例による速走力増進トレーニング機を、前脚用と後脚用の２台準備して前後２対の馬脚用ペダル４２として利用する。馬の走行姿勢は、前脚と後脚の運びが、ほぼ１８０度ずれた形で動いているが、事前にその動きのずれを考慮して動かさなくても、本来の走りに近い馬の脚の動きに合わせて、前と後の馬脚用ペダル４２の回転は修正されていく。また、特に図示していないが、本実施例の速走力増進トレーニング機を、床面５６にレールを設けて移動と固定が可能とすれば、より便利である。
【００５８】
最も理想的には、クレーン５０を操作して馬の前脚と後脚の全てを浮かせ、前後４脚のそれぞれを個別に他力誘導していく４個の馬脚ペダル４２（図示しない）によって速走力増進トレーニングを行なう。それぞれの馬脚用ペダル４２は、それぞれに対応するモーターの回転駆動を、ギヤヘッドにて減速したうえ、ベルトまたはスパイラルギヤを介してペダル回転を行う。従って、モーター駆動の回転による馬脚用ペダル４２の回転速度は、馬脚の動きによっては、更に速めることも可能であるし、逆にその回転速度を抑制することも可能である。そのため、前後左右のそれぞれの脚は、基本的には、４個の馬脚用ペダル４２の回転に誘導されながら、自分の走りに都合の良い動きを修正しながら動かすことが出来る。
【実施例８】
【００５９】
実施例８は、同じく馬用の速走力増進トレーニングに関するもので、図１０は、その説明図である。先ず、クレーン５０を架設したほぼ直方体形状骨格のクレーン架設枠５１を設け、その底面５６に、モーター駆動の無限ベルトで構成する走行ベルト５７を設けてランニングトレーニングを行なうランニングマシーン５８を設置する。ランニングマシーン５８には、体重測定機能ならびに疾走ピッチ測定機能を設け、その測定値は表示パネル５９にデジタル表示される。上架５２に設けたクレーン５０は、ワイヤー５３および螺旋バネ６０を介して、体重支持帯５４に設けた引き上げベルト５５と脱着自在につなぐ。
【００６０】
走行ベルト５６に載せられた馬は、先ず、腹部に体重支持帯５４を当てられ、その左右に設けた引き上げベルト５５の末端を、上架５２に付設のクレーン５２から繰り出されたワイヤー５３と、螺旋バネ５８を介してつなぐ。次に、クレーン５２を駆動して、ゆっくりと馬の腹部を引き上げ、表示パネル５９の体重表示を見ながら、脚裏にかかる体重をほぼ１／３から１／５程度、あるいはそれ以下、ゼロになるように軽減する。尚、当然のことながら、第７実施例も含めて、クレーン５０の代わりに油圧リフト等を利用して、上昇・下降させてもよい。
【００６１】
次に、ランニングマシーン５８をゆっくりと駆動し、順次加速していく。最初の数分間は、準備運動として、ピッチ３〜４程度以内で走行させ、やがてメインとなる速走力増進トレーニングに移行する。馬は、体重支持帯５４を利用してクレーン５０によって引き上げられ、脚にかかる体重は大きく軽減され、あるいはゼロに近い状態となり、実際の疾走時よりも楽に脚を動かすことが可能となる。従って、走行ベルト５７の走行速度を上げていけば、馬が自力で行なうことの出来る全力疾走時の脚の屈伸スピードよりは速く、脚を動かすことが可能となる。メインとなる速走力増進トレーニングは、馬の全力疾走時のピッチ４．５に相当する１分間当たりの歩数から、それよりも５％以上、そして１０％以上を、ランニングマシーン５８駆動の走行ベルト５７による他力誘導上限速度として、速走力増進トレーニングを行なう。尚、その１分間当たりの歩数は、内部に設けた馬蹄の接触圧（又は音）を感知する歩数測定機能によって計測され、表示パネル５９に表示される。また、走行ベルト５７に載って馬が疾走する際の上下動は、引き上げベルト５５につないだ螺旋バネ６０に吸収され、体重支持帯５４は、常に馬の腹部と接して支え続ける。
【実施例９】
【００６２】
実施例９は、前記に準じたランニングマシンを利用する人用の速走力増進トレーニングに関するもので、図１１は、その説明図である。先ず、クレーン５０を架設したほぼ直方体形状骨格のクレーン架設枠５１を設け、その底面５６に、モーター駆動の無限ベルトで構成する走行ベルト５７を設けたランニングマシン５８を設置する。ランニングマシン５８には、疾走ピッチ測定機能を設け、その測定値は表示パネル１９にデジタル表示される。上架５２中央に設けたクレーン５０は、ワイヤー５３および螺旋バネ６０を介して、体重支持帯５４に設けた引き上げベルト５５と脱着自在につなぐ。体重支持帯５４は、その一例を図示しているように、要所を固定ベルト６１によって外れないように固め、その背後上部に設けた引き上げベルト５５を設ける。クレーン５０による上下の操作は、上架５２右側より垂下される操作リモコン６２によって行ない、走行ベルト５７の速度コントロールは、ハンドル１５に設けたグリップ２０を回し、内部の電気抵抗値を変えることにより行なう。走行ベルト５７の速度は、１００ｍ当たりのタイムの形で、例えば、１３．６（秒）のように換算して表示パネル１９に表示する。
【００６３】
使用にあたっては、先ず、走行ベルト５７に載ったまま、クレーン５０からワイヤー５３と螺旋バネ６０を介して垂下させた体重支持帯５４を着用する。次に、操作リモコン６２を操作して、足裏に体重が殆どかからない程度であって、足先が走行ベルト５７面で走りのフォームに近い動き（以下、模擬走行フォームと言う）が取れるように微調整する。次に、ハンドル１５に設けたグリップ２０を握って、徐々に回しながら走行ベルト５７のスピードアップしていく（準備運動）。走行ベルト５７の速度は、表示パネル５９に１００ｍ走当たりのタイムとして表示されるので、例えば、１００ｍ全力疾走のタイムが１３．６秒の人であれば、表示パネル５９の表示が１３．６（秒）までの走行ベルト５７の速度を準備運動と一応考えて、１〜２分間模擬走行フォームで走る。次に、速走力増進トレーニングとして、走行ベルト速度１３．６（秒）以上のスピードを利用して、模擬走行フォームで走る。この時の足や腰などの動きは、ペダル運動機を利用した完全な他力誘導タイプの動きではない。即ち、他力として働くのは、クレーン５０によって体重をゼロに向けて軽減して足の運びを速くし得る環境設定をしていることと、走行ベルト５７に足裏が接している間に受ける他力誘導の補助である。この両者による影響で、現実の全力疾走のピッチよりどの程度速く足が動かせるかは、実際に、少しずつ走行ベルトのスピードアップを行ないながら行なうしか方法はない。走行ベルト５７の速さと、模擬走行フォームで走る足の動きにずれを感じるようなら、そこが上記の両者による他力誘導の一応の上限と考え、その速度範囲内で速走力増進トレーニングを行なうものとする。勿論、この上限は固定的なものではなく、トレーニングが進むにつれて更にアップしていくことは当然である。
【００６４】
この実施例において、走行ベルト５７の走行と模擬走行フォームによる足の動きがうまくマッチしている場合は、走行ベルト５７の速度が上がるほど、走る足のピッチも上がっていく。そして、走行ベルト５７の走行速度を全力疾走の速さまで上げていくと、使用している人は、走行ベルト５７の上を相対的には走っていることになり、しかも、結果的には、その人のもっている全力疾走のピッチよりは速くなる傾向がある。従って、クレーン５０と走行ベルト５７の利用によって、現実の全力疾走では経験できない速い足の動きを経験したことになる。これによって起きる速走力増進トレーニングの効果と、従来からある全力疾走による筋肉強化の要素を合わせた形との相乗効果が期待できる。従って、ペダル運動機を利用した他力誘導による速走力増進トレーニングに加えて本実施例を利用していけば、スポーツ選手などの一層の記録更新に向けて、格段の効果が期待できる。
【実施例１０】
【００６５】
尚、前実施例の簡易型として、クレーン５０やクレーン架設枠５１などを用いないで、台座１４より立ち上げたサドル１６に体重を預けて、速走力増進トレーニングを行なうことも出来る。即ち、ランニングマシン５８の台座１４の両サイドに、支持枠６３をほぼ直立して設け、その上端を上枠６４でつなぐ。両支持枠６３の上方にはそれぞれハンドル１５を設け、右側のハンドル１５にはグリップ２０を設ける。グリップ２０は、前実施例と同様に、回すことによって走行ベルト５７の速度コントロールを行ない、その速度は、上枠６４の中央上部に表示パネル１９に表示される。次に、サドル１６を所定位置で支持するサドル取付けパイプ６５を、上枠６４の中央下部より台座１４後方中央部とつなぎ、補強パイプ２３によって固定する。サドル１６は、支持パイプ１７の長さを調整し、膝をやや曲げた状態で足先が走行ベルト５７につく程度にして留める。これによって、体重の大半はサドル１６に支えられる状態のもとで、模擬走行フォームによる足の動きが可能となる。走行ベルト５７の速度は、実施例９と同様に、１００ｍ当たりのタイムの形で換算し表示パネル１９に表示する。
【００６６】
使用にあたっては、サドル１６に腰掛けた状態で、足先が走行ベルト５７面で模擬走行フォームが取れるように、サドル１６の高さを調節する。本実施例による速走力増進トレーニングは、サドル１６に腰掛けハンドル１５を握った前傾姿勢で、走行ベルト５７の動きに合わせ模擬走行フォームで左右の足を動かしていく。そして、馴れるに従って走行ベルト５７の速度を上げていき（準備運動）、速走力増進トレーニングとしては、その人の全力疾走速度のタイム以上を目安にして、前実施例と同様に、走行ベルト５７の速さと、模擬走行フォームで動かす足の動きにずれを感じない範囲内で、スピードアップする。その後に、整理運動として、徐々に減速を行なう。
【実施例１１】
【００６７】
実施例１１は、前実施例のサドル１６を省略して、腕もしくは脇部によって体重を支えるようにしたものである。即ち、ランニングマシン５８の台座１４の両サイド上に設けた縁体６５に、支持枠６３をほぼ直立して設け、その上端を上枠６４でつなぐ。支持枠６３の上方にはそれぞれハンドル１５を設け、その末端を補強パイプ２３とつないで、縁体６６に取り付ける。ハンドル１５の後部の所定位置に支持パイプ受け６７を設け、脇枕６８を脱着自在に取り付ける。脇枕６８は、クッション性のある材質と形状で、脇下または腕に当てて体重を預けても痛くないようにし、それを支持パイプ受け６７を中心にして円形に回転できるよう、支持パイプ１７は図示のようにＬ型に曲げて取り付ける。尚、支持パイプ受け６７と支持パイプ１７は、両者に設けた螺旋溝によって脱着ならびに回動を可能とし、これによって、左右の腰枕６８の高さと間隔の調節を自由に行なうようにする。右側のハンドル１５には、走行ベルト５７の速度をコントロールするためのグリップ２０を設け、上枠６４の中央上部には表示パネル１９を設ける。  
【００６８】
使用に当たっては、走行ベルト５７面に乗って模擬走行フォームで走るのに最適な位置に、脇枕６８の高さと間隔を調整して体重を預け、走行ベルト５７面には体重があまりかからないようにする。その後に、表示パネル１９の電源スイッチを入れ、表示パネル１９の表示を見ながら、グリップ２０を回して走行ベルト５７の走行速度を上げていく。その他については、他の実施例に準じて実施する。
【図面の簡単な説明】
【００６９】
【図１】本発明の実施例１を示す斜視図。
【図２】本発明の実施例２を示す斜視図。
【図３】本発明の実施例３を示す側面図。
【図４】本発明の実施例４の一部切欠した斜視図。
【図５】本発明の実施例５を示す機構説明図。
【図６】理想的な疾走動作における足先の運動軌跡図。
【図７】本発明の実施例７を示す一部切欠した斜視図。
【図８】本発明の実施例７を示す一部切欠した斜視図。
【図９】本発明の実施例７を示す斜視図。
【図１０】本発明の実施例８を示す斜視図。
【図１１】本発明の実施例９を示す斜視図。
【図１２】本発明の実施例１０を示す斜視図。
【図１３】本発明の実施例１１を示す斜視図。
【符号の説明】
【００７０】
１  ペダル
２  カバー
３  電源スイッチ
４  電源コード
５  リモコン
６  タイマー
７  サポーター
８  クランク
９  速度つまみ
１０  回転速度上限ボタン
１１  回転速度表示ランプ
１２  カウンター
１３  緊急停止ボタン
１４  台座
１５  ハンドル
１６  サドル
１７  支持パイプ
１８  シャフト
１９  表示パネル
２０  グリップ
２１  インターバルおまかせボタン
２２  データー表示窓
２３  補強パイプ
２４  小ギヤ
２５  大ギヤ
２６  チェーン
２７  フレーム
２８  歯付き小プーリー
２９  歯付き大プーリー
３０  操作ハンドル
３１  歯付きベルト
３２  歯付きプーリー
３３  繰り出し曲線
３４  踏み込み曲線
３５  誘導軌跡
３６  伸縮クランク
３７  案内ロール
３８  フレーム
３９  誘導内盤
４０  誘導外盤
４１  誘導路
４２  馬脚用ペダル
４３  ペダル軸
４４  吊り下げ具
４５  馬蹄置き台
４６  馬脚サポーター
４７  面ファスナー
４８  留めリング
４９  留めベルト
５０  クレーン
５１  クレーン架設枠
５２  上架
５３  ワイヤー
５４  体重支持帯
５５  引き上げベルト
５６  床面
５７  走行ベルト
５８  ランニングマシーン
５９  表示パネル
６０  螺旋バネ
６１  固定ベルト
６２  操作リモコン
６３  支持枠
６４  上枠
６５  サドル取付けパイプ
６６  縁体
６７  支持パイプ受け
６８  脇枕
Ａ  運動軌跡
Ｂ  転換点
【図１】
2006223647.tif 000003
【図２】
2006223647.tif 000004
【図３】
2006223647.tif 000005
【図４】
2006223647.tif 000006
【図５】
2006223647.tif 000007
【図６】
2006223647.tif 000008
【図７】
2006223647.tif 000009
【図８】
2006223647.tif 000010
【図９】
2006223647.tif 000011
【図１０】
2006223647.tif 000012
【図１１】
2006223647.tif 000013
【図１２】
2006223647.tif 000014
【図１３】
2006223647.tif 000015